(57)【要約】      （修正有）【課題】小さな限られた領域内に隔離された多数のトランスデューサまたはセンサを収容する圧力感知装置を提供する。【解決手段】ベースカバー部４０２は開口４０６を規定する多数のセクションを有する。センサ５０２−１、５０２−２は、ベースカバー部４０２に置かれ、センサ５０２−１、５０２−２の一部は、それぞれの開口４０６に露出される。ベースが、多数の別個のチャンバを規定するようにベースカバー部４０２に連結され、ベースカバー部４０２のそれぞれの開口４０６と流体接続する多数の導管を有するハウジングが、ベースカバー部４０２および前記ベースの周囲に提供される。【選択図】図６
2018179979.tif 000002
【特許請求の範囲】
【請求項１】
感知装置であって、
複数のセクションを規定するベースカバーであって、前記セクションのそれぞれが、それぞれのベースカバー開口を有する、前記ベースカバーと、
複数のセンサであって、各センサがそれぞれのベースカバーセクションに置かれ、各センサの一部が、前記それぞれのベースカバー開口において露出される、前記複数のセンサと、
前記ベースカバーに連結され、複数のチャンバを規定するように構成されるベースであって、各チャンバがそれぞれのベースカバーセクションに対応する、前記ベースと、
底面を有し、その底面において複数のインレットが規定される、ハウジングと
を含み、
前記ベースが、前記ハウジングにおいて規定される開口を通って延在するように、前記ベースおよびベースカバーが前記ハウジングの中に置かれ、
各インレットが、それぞれのベースカバー開口と流体接続し、
前記ハウジングの縁が、前記ベースの一部に連結するように構成される、
感知装置。
【請求項２】
請求項１に記載の感知装置であって、前記ハウジング、ベース、および、ベースカバーのそれぞれが、長円の形状を含む、感知装置。
【請求項３】
請求項１に記載の感知装置であって、
前記 ベースがフランジ部を含み、
前記ハウジングの縁が、前記ベースのフランジ部に連結するように圧着される、
感知装置。
【請求項４】
請求項１に記載の感知装置であって、前記複数のチャンバのそれぞれが、前記他のチャンバから流体的に隔離される、感知装置。
【請求項５】
請求項１に記載の感知装置であって、各センサが圧力センサを含む、感知装置。
【請求項６】
請求項１に記載の感知装置であって、各センサが処理回路を含む、感知装置。
【請求項７】
請求項３に記載の感知装置であって、
前記ハウジングが、粒子（グレイン）を有する材料を含み、
前記圧着された縁の粒子の方向が、前記ハウジングの圧着されていない部分の粒子の方向に対して或る角度にある、
感知装置。
【請求項８】
請求項７に記載の感知装置であって、前記ハウジングがアルミニウムを含む、感知装置。
【請求項９】
圧力感知装置であって、
第１および第２のベースカバーセクションを含む長円のベースカバー部であって、前記第１および第２のベースカバーセクションのそれぞれが、その中に規定される開口を有する、前記長円のベースカバー部と、
それぞれ、前記第１および第２のベースカバーセクションに置かれる、第１および第２のセンサであって、各センサの一部が、前記それぞれの開口において露出される、前記第１および第２のセンサと、
フランジ部を含む長円のベースであって、前記ベースが、前記第１および第２のベースカバーセクションと対応する第１および第２の別個のチャンバをそれぞれ規定するように、前記ベースカバー部と連結される、前記長円のベースと、
前記ベースカバー部およびベースの付近に配置される長円のハウジングであって、前記ハウジングが、それぞれの第１および第２のベース開口と流体接続する第１および第２のインレットを有し、前記ハウジングが、前記ベースが延在する長円の開口を規定する、前記長円のハウジングと
を含み、
前記ハウジングの長円の開口の縁が、前記ベースのフランジ部に連結するように圧着される、
圧力感知装置。
【請求項１０】
請求項９に記載の感知装置であって、各センサが圧力センサを含む、圧力感知装置。
【請求項１１】
請求項９に記載の感知装置であって、さらに、
それぞれ、前記第１および第２のセンサに連結される第１および第２の処理回路
を含む、圧力感知装置。
【請求項１２】
請求項９に記載の感知装置であって、前記ベースカバー部の前記第１および第２のセクションのそれぞれが、前記それぞれのセンサを受け取り、且つ、適所に維持するように構成される、圧力感知装置。
【請求項１３】
請求項９に記載の感知装置であって、
前記ハウジングが粒子を有する材料を含み、
前記圧着された縁の粒子の方向が、前記ハウジングの圧着されていない部分の粒子の方向に対して或る角度にある、
圧力感知装置。
【請求項１４】
請求項１３に記載の感知装置であって、前記ハウジングがアルミニウムを含む、圧力感知装置。
【請求項１５】
請求項１に記載の感知装置であって、各センサが、容量性感知素子アセンブリを含む、圧力感知装置。
【請求項１６】
請求項９に記載の感知装置であって、各センサが、容量性感知素子アセンブリを含む、圧力感知装置。
【発明の詳細な説明】
【背景技術】
【０００１】
自動車用途におけるセンサおよび制御の使用は、近年、非常に増加している。これは、小さな限られた領域内に収容される必要のある多数のトランスデューサまたはセンサに対する需要を創出している。一例では、自動車用途おいて圧力排気口同士が至近距離にあることが、そのような構成に対する解決策を提供するため、トランスデューサ供給者にとって課題となっている。
【０００２】
必要とされるのは、必要なレベルの性能を提供しつつ、産業の構成要件に合致する圧力センサである。
【発明の概要】
【０００３】
本開示の１つの態様において、感知装置は、複数のセクションを規定するベースカバーであって、セクションのそれぞれがそれぞれのベースカバー開口を有する、ベースカバーと、複数のセンサであって、各センサが、それぞれのベースカバーセクションに置かれる、複数のセンサと、を含み、各センサの一部は、それぞれのベースカバー開口において露出される。ベースは、ベースカバーに連結され、且つ、複数のチャンバを規定するように構成され、各チャンバは、それぞれのベースカバーセクションに対応する。底面を有し、複数のインレットが当該底面において規定されるハウジングが提供される。ベースが、ハウジングにおいて規定される開口を通って延在するように、ベースおよびベースカバーがハウジングの中に置かれる。各インレットは、それぞれのベースカバー開口と流体接続し、ハウジングの縁は、ベースの一部に連結するように構成される。
【０００４】
本開示の別の態様において、圧力感知装置は、第１および第２のベースカバーセクションを含む長円のベースカバー部を含み、第１および第２のベースカバーセクションのそれぞれは、その中に規定された開口を有し、第１および第２のセンサが、それぞれ、第１および第２のベースカバーセクションに配置され、各センサの一部はそれぞれの開口において明示される（evidenced）。フランジ部を含む長円のベースが、それぞれ、第１および第２のベースカバーセクションと対応する第１および第２の別個のチャンバを規定するように、ベースカバー部に連結され、長円のハウジングが、ベースカバー部およびベースの付近に配置され、ハウジングは、それぞれの第１および第２のベース開口と流体接続する第１および第２のインレットを有し、ハウジングは、ベースが延在する長円の開口を規定し、ハウジングの長円の開口の縁が、ベースのフランジ部に連結するようにかしめられる。
【図面の簡単な説明】
【０００５】
本開示の少なくとも１つの実施形態の種々の態様は、添付の図面を参照して以下で説明される。図面を簡潔および明確にするために、図面に示される要素は、必ずしも正確にまたは一定の縮尺で描かれていない。例えば、要素のうちのいくつかの寸法は、明確にするために、他の要素に対して誇張されることがあり、または、いくつかの物理的な構成要素は、１つの機能ブロックまたは要素に含まれることがある。さらに、適切と考えられる場合には、参照番号は、対応または類似の要素を示すため、図中で繰り返されることがある。明確にする目的で、全ての構成要素が、全ての図面において標識されるわけではない。図は、図示および説明を目的として提供されており、本発明の限定の定義であることを意図しない。
【０００６】
【図１】本開示の態様に従った、圧力感知装置の斜視図である。
【０００７】
【図２】図１の圧力感知装置の底面図である。
【０００８】
【図３Ａ】図１の圧力感知装置のハウジング部の図である。
【図３Ｂ】図１の圧力感知装置のハウジング部の図である
【０００９】
【図４】図１の圧力感知装置のベースカバー部の斜視図である。
【００１０】
【図５Ａ】図１の圧力感知装置において提供される圧力センサアッセンブリの斜視図である。
【図５Ｂ】図１の圧力感知装置において提供される圧力センサアッセンブリの斜視図である。
【図５Ｃ】図１の圧力感知装置において提供される圧力センサアッセンブリの斜視図である。
【００１１】
【図６】図４のベースカバー部における、図５Ａ〜図５Ｃの圧力感知アッセンブリの配置の斜視図である。
【図７】図４のベースカバー部における、図５Ａ〜図５Ｃの圧力感知アッセンブリの配置の斜視図である。
【００１２】
【図８】図３Ａおよび図３Ｂのハウジング部への、ベースおよびベースカバー部の配置の斜視図である。
【００１３】
【図９】ベース付近のハウジングのかしめ外形のクローズアップ図である。
【００１４】
【図１０】図１の圧力感知装置の部分的な透視図である。
【００１５】
【図１１】圧力感知装置の破断図である。
【００１６】
【図１２Ａ】圧力感知装置の代替的な実施形態の斜視図である。
【図１２Ｂ】圧力感知装置の代替的な実施形態の斜視図である。
【発明を実施するための形態】
【００１７】
以下の詳細な説明において、本開示の実施形態の十分な理解を提供するため、数々の具体的な詳細が述べられる。これらの実施形態が、これらの具体的な詳細のうちのいくつかを伴わずに実施され得ることが、当業者によって理解される。他の例において、よく知られた方法、手順、構成要素、および、構造は、説明される実施形態を不明瞭にしないように詳細に説明されていないことがある。
【００１８】
少なくとも１つの実施形態を詳細に説明する前に、これらが、それらの用途において、以下の説明において述べられ、または、図面において図示される構成要素の構造および構成の詳細に限定されないことを理解すべきである。また、本願において用いられる用語または術語は単に説明目的のためのものであり、限定的なものと見なされるべきでないことを理解すべきである。
【００１９】
図１に示すように、圧力感知装置１００は、長円（oblong）のハウジング１０２、および、関連のベース１０４を含む。１つの実施形態において、ベース１０４は、例えば、装置１００の自動車用途において配線インターフェースに結合するための、プラグ部１０５を含む。１つの実施形態において、ハウジング１０２は、１つまたは複数の取付けアイレット１０６を含んでよい。１つの実施形態において、ハウジング１０２はアルミニウムから作られ、ベース１０４はプラスチックから作られる。
【００２０】
図２を参照すると、ハウジング１０２は、ハウジング１０２の内部空間３０２（図３Ａ参照）と流体的に連結するように規定される２つのインレット（入口）２０４を備える底面２０２を含む。外部シール２０６、例えば、ゴムのＯリングが、各インレット２０４周囲の底面２０２上に配置される。
【００２１】
ハウジング１０２は、内部空間３０２を規定し、内部空間３０２は、垂直のへり（vertical lip）３０６として規定される上部セクションを有する壁部３０４によって境界をつけられる。インレット２０４の空間は、図３Ｂに示すように、感知装置１００が置かれる場所の外形によって決定される。
【００２２】
長円のベースカバー部４０２は、図４に示すように、ベース１０４への連結および空間３０２内の配置のために提供および構成される。ベースカバー部４０２は、２つのセクション４０４‐１、４０４‐２を規定し、それぞれが、それぞれの開口４０６‐１、４０６‐２を有する。ベースカバー部４０２は、ベース１０４におけるそれぞれの開口にベースカバー部４０２を連結するために使用される２つのフィンガー４０７‐１、４０７‐２を含む。ベースカバー部４０２がハウジング１０２内に提供されたとき、インレット２０４がそれぞれの開口４０６において視覚可能であるように、ベースカバー部４０２が構成される。
【００２３】
図５Ａ〜５Ｃに示すように、２つの圧力感知アッセンブリ５０２‐１、５０２‐２が提供される。各圧力感知アセンブリ５０２は、感知素子５０４、例えば、平行板コンデンサ、フレキシブル回路５０６、フレキシブル回路５０６上に搭載されるサポート回路要素および構成要素５０８、ならびに、内部シール５１０を含む。各フレキシブル回路５０６は２つの接地クリップまたはテール５１２を含み、２つの接地クリップまたはテール５１２はハウジング１０２に連結されて、接地接続を、そうした特徴を必要とするこれらのアプリケーションに提供する。圧力感知アセンブリは、「圧力センサ装置」という表題の米国特許第６，４８７，９１１号において説明されるものと類似するものであってよく、当該米国特許の全体の内容が、実際上、参照により本明細書に組み込まれる。
【００２４】
ベースカバー部４０２における各開口４０６は、図６および図７に示すように、それぞれの感知アセンブリ５０２を受けるように、および、感知アセンブリ５０２を適所に保つように構成される。ベースカバー部４０２は、内部シール５１０がベースカバー部４０２の底から十分に延在して、ハウジング１０２のチャンバ３０２の底と連結するように構成される。
【００２５】
図８に示すように、ベース１０４は、フランジ９０２、および、ベースカバー部４０２と連結するように構成される下部構造部９０４を含む。ベース１０４は、フィンガー４０７−１、４０７−２の動作、および、下部構造部９０４における対応する開口によって、ベースカバー部４０２の上に置かれ、すなわち、ベースカバー部４０２上にスナップされる。組み合わされたベースカバー部４０２およびベース１０４は、その後、ハウジング１０２の中に置かれる。各感知アセンブリ５０２は封止され、他方から隔離される。その結果、各感知アセンブリ５０２は、それぞれのインレット２０４に流体的に連結され、他方のインレット２０４から隔離される。
【００２６】
図９に示すように、ベース１０４は適所に設けられ、隔離された感知アッセンブリ５０２の一体は、楕円形開口の外縁全体のために、フランジ９０２の上に上部リップ３０６を圧着またはかしめる（crimp）ことによって、維持される。いったん圧着されると、各感知アセンブリ５０２は、図１０に示すように、それぞれのインレット２０４に流体的に連結される。有利に、ベースカバー部４０２およびベース１０４は、圧着されたハウジング１０２によって適所に保たれる場合、それぞれの感知アセンブリ５０２が、それぞれのインレット２０４を通る流体の圧力を測定するのを可能にする。さらに、接地クリップ５１２は、圧着動作の間、ハウジング１０２に連結される。
【００２７】
１つの実施形態において、ハウジング１０２は、押出しアルミニウムから作られる。最も強い圧着を提供するため、押出しアルミニウムの粒子（グレイン）は、図８に示すように、方向Ｇに配置されるべきである。
【００２８】
各感知アセンブリ５０２は、それぞれの圧力測定を出力するため、力を受け取り、また、或る機構を有する必要がある。１つの実施形態において、図１１を参照すると、ベース１０４（図示せず）は、共通の電力および感知アッセンブリ５０２への接地を提供するため、ならびに、中央システムに、例えば、自動車の制御システムに測定信号を送るため、フレックス回路５０６に連結する複数のリード１２０２を含む。
【００２９】
あるいは、図１２Ａおよび１２Ｂに示すように、例えば、バッテリおよび無線通信構成要素（図示せず）を含むキャップ１３０２が提供されてもよい。キャップ１３０２は、上述したものと同様のベースカバー部４０２のフィンガー４０７−１、４０７−２（図示せず）に連結するように構成される。
【００３０】
有利に、本開示の圧力感知装置は、サポート回路要素において提供される機能性に応じて、差動、冗長、あるいは、独立の流体圧力測定を提供するために実装されてよい。さらに、２つのセンサの例示的な実施形態が提示されたが、当業者は、必要以上の実験を伴わずに、２つ以上のセンサがどのように装置に提供され得るかを理解する。
【００３１】
本発明の一定の特徴が、明確にするために、別個の実施形態の文脈において説明されたが、単一の実施形態において組合せて提供されてもよいことが理解される。逆に、本発明の種々の特徴が、簡潔さのために、単一の実施形態の文脈において説明されたが、別個に、または、任意の適切な副次的な組合せ（sub-combination）で提供されてもよい。
【００３２】
前述の説明を読んだ上で、本開示の多くの変更および修正が、疑いなく、当業者に明らかになるが、実例として示されおよび説明された特定の実施形態が、決して、限定的であると解釈されることを意図しないことを理解すべきである。さらに、主題が特定の実施形態に関して説明されたが、本開示の精神および範囲内の変形形態が、当業者に生じるであろう。前述の例は、単に説明目的のために提供されたものであり、決して、本開示の限定であると解釈されるべきでないことに留意されたい。
【００３３】
本開示は、特定の実施形態に関して本明細書において説明されたが、本開示は、本明細書において開示された特定のものに限定されることを意図しない。むしろ、本開示は、全ての機能的に均等の構造、方法および使用に拡大され、それらは特許請求の範囲内にある。
【図１】
2018179979.tif 000003
【図２】
2018179979.tif 000004
【図３Ａ】
2018179979.tif 000005
【図３Ｂ】
2018179979.tif 000006
【図４】
2018179979.tif 000007
【図５Ａ】
2018179979.tif 000008
【図５Ｂ】
2018179979.tif 000009
【図５Ｃ】
2018179979.tif 000010
【図６】
2018179979.tif 000011
【図７】
2018179979.tif 000012
【図８】
2018179979.tif 000013
【図９】
2018179979.tif 000014
【図１０】
2018179979.tif 000015
【図１１】
2018179979.tif 000016
【図１２Ａ】
2018179979.tif 000017
【図１２Ｂ】
2018179979.tif 000018